(57)【要約】【課題】  設計自由度が高く、組立作業性に優れた電気接続箱を提供する。【解決手段】  リジットな一対のプリント配線板１０，２０に、一端がプリント配線板１０，２０の一方の面側で半田付けされ他端がプリント配線板１０，２０を貫通して他方の面側でコネクタ接続のための接続部を形成する複数のタブ端子３０，４０が装着されている。一対のプリント基板１０，２０は、電線９０によって相互に接続されている。電線９０は、屈曲性を有し両端がプリント配線板１０，２０の他方の面側から挿入され一方の面側で半田付けされている。【選択図】  図１
2006020377.tif 000002
【特許請求の範囲】
【請求項１】
リジットな一対のプリント配線板と、
これらプリント配線板にそれぞれ装着され一端が前記プリント配線板の一方の面側で半田付けされ他端が前記プリント配線板を貫通して他方の面側でコネクタ接続のための接続部を形成する複数のタブ端子と、
前記一対のプリント基板を電気的に接続する屈曲性を有し両端が前記プリント配線板の他方の面側から挿入され前記一方の面側で半田付けされる導電部材と
を有することを特徴とする電気接続箱。
【請求項２】
前記導電部材は、電線、ＦＰＣ、ＦＦＣのいずれか一つからなるものであることを特徴とする請求項１又は２記載の電気接続箱。
【発明の詳細な説明】
【技術分野】
【０００１】
本発明は、自動車の電源分配等を行うための電気接続箱に関し、特に多層配線回路間の接続構造に関する。
【背景技術】
【０００２】
電気接続箱は、ハーネス、ヒューズ、リレー等が接続されるコネクタ部がバスバー等によって相互接続されて構成される。近年の電装部品の増大に伴い、表面と裏面の両面にコネクタが配置されたものも一般化しつつある。このような電気接続箱では、表面と裏面とにバスバーから立ち上がるタブ端子を突出させるか、又はプリント配線板を使用した場合には、タブ端子を半田付けにより取り付けて表面と裏面とに突出させる。バスバーやプリント配線板は、配線回路の設計上、多層構造になるのが一般的である。このため、各層のバスバーは、絶縁板に形成された貫通孔を介して異なる層を跨いで最上面から突出させるようにしている。このような構造は、回路設計上の制約となる。
【０００３】
そこで、バスバーと絶縁板とを交互に積層した構造の電気接続箱において、絶縁板の外周から圧接端子を水平に突出させ、積層方向に並んだ圧接端子間に導体を挿入して層間の電気的な接続を図ることにより、回路設計の余裕度を確保するようにした電気接続箱も提案されている（特許文献１）。
【特許文献１】特開２００３−３２８４２号、段落０００４〜０００６、図１
【発明の開示】
【発明が解決しようとする課題】
【０００４】
しかし、上述した従来の電気接続箱では、各層を形成する電気配線回路をプリント配線板で形成しようとする場合、各プリント配線板の周囲に予め圧接端子を接続しておかなくてはならない。また、各層の圧接端子の全てに導体を接続するという作業は作業性の面で劣り、現実の問題として殆ど実現は不可能である。
【０００５】
この発明は、上記事情を考慮してなされたもので、設計自由度が高く、組立作業性に優れた電気接続箱を提供することを目的としている。
【課題を解決するための手段】
【０００６】
この発明に係る電気接続箱は、リジットな一対のプリント配線板と、これらプリント配線板にそれぞれ装着され一端が前記プリント配線板の一方の面側で半田付けされ他端が前記プリント配線板を貫通して他方の面側でコネクタ接続のための接続部を形成する複数のタブ端子と、前記一対のプリント基板を電気的に接続する屈曲性を有し両端が前記プリント配線板の他方の面側から挿入され前記一方の面側で半田付けされる導電部材とを有することを特徴とする。
【０００７】
前記導電部材は、例えば電線、ＦＰＣ、ＦＦＣのいずれか一つからなるものである。
【発明の効果】
【０００８】
本発明によれば、プリント配線板間を屈曲性を有する導電部材で相互に接続する構成となっているので、導電部材の接続形態を変えることによりジョイント回路の変更が自由であるため、設計の自由度は向上する。また、一対のプリント配線板は、屈曲性を有する導電部材で相互に接続されているので、前記一対のプリント配線板の配置自由度が増し、例えば前記一対のプリント配線板を前記半田付け面同士が向かい合い、前記タブ端子が互いに外側に突出するように配置することもできるし、前記半田付け面同士が９０°の角度をなし、タブ端子が互いに直角な向きに突出するように配置することもできる。
【０００９】
また、導電部材は、プリント配線板の他方の面側から挿入され前記一方の面側で半田付けされているので、全ての電気的要素を片面実装とすることができ、フローハンダのみで形成することができる。このため、組立作業性が向上する。
【発明を実施するための最良の形態】
【００１０】
以下、添付の図面を参照して、本発明の実施形態について説明する。
【００１１】
図１は、本発明の一実施形態に係る電気接続箱の分解斜視図、図２は要部の断面図である。
【００１２】
この電気接続箱は、２枚のプリント配線板１０，２０と、これらプリント配線板１０，２０に装着されたタブ端子３０，４０と、これらタブ端子３０，４０と共にコネクタ５０，６０を構成するコネクタハウジング７０，８０と、前記プリント配線板１０，２０同士を接続する屈曲性を有する導電部材としての複数の電線９０とにより構成されている。
【００１３】
プリント配線板１０，２０は、エポキシ等からなる基板１１，２１の片面に配線層１２，２２が形成されたもので、その端部に電線９０が装着される接続端部１３，２３を有する。タブ端子３０，４０は、プリント配線板１０，２０に装着され、プリント配線板１０，２０の対向面側に位置する一端が半田１４，２４によって配線層１２，２２に接続され、他端がプリント配線板１０，２０を貫通して上下に突出している。また、電線９０の両端もプリント配線板１０，２０の対向面側で半田１５，２５によって配線層１２，２２に接続されている。
【００１４】
上記の構造において、プリント配線板１０，２０にタブ端子３０，４０を実装する場合には、図２（ａ）に示すように、２枚のプリント配線板１０，２０を一括でフローハンダにより接続する。その際、層間接続用の電線９０も同時にフローハンダにより接続する。その後、図２（ｂ）に示すように、電線９０を折り曲げることにより、２枚のプリント配線板１０，２０のハンダ面が対向した本実施形態の電気接続箱を形成することができる。また、２枚のプリント配線板１０，２０は、図２（ｂ）のように、平行に配置される場合に限らず、電気接続箱の形状に合わせて任意の角度で配置することができ、配置自由度が増す。
【００１５】
本実施形態の電気接続箱によれば、プリント配線板１０，２０間を屈曲性を有する電線９０で相互に接続する構成となっているので、電線９０の接続形態を変えることにより層間接続形態の変更が自由であるため、設計の自由度は向上する。また、電線９０は、プリント配線板１０，２０の他方の面側から挿入され一方の面側で半田付けされるので、全ての電気的要素を片面実装とすることができ、フローハンダのみで形成することができるので、組立作業性が向上する。
【００１６】
なお、以上の実施形態では、屈曲性を有する導電部材として電線９０を例示したが、その他、ＦＰＣ（フレキシブルプリント回路）、ＦＦＣ（フレキシブルフラットケーブル）等を用いることも考えられる。
【図面の簡単な説明】
【００１７】
【図１】本発明の一実施形態に係る電気接続箱の分解斜視図である。
【図２】同電気接続箱の要部の断面図で、同図（ａ）はハンダ付け直後の状態、同図（ｂ）は導電部材を折り曲げ状態を示す図である。
【符号の説明】
【００１８】
１０，２０…プリント配線板、３０，４０…タブ端子、５０，６０…コネクタ、７０，８０…コネクタハウジング、９０…電線。
【図１】
2006020377.tif 000003
【図２】
2006020377.tif 000004